(57)【要約】本発明は、電気又は電子素子（７）を支持及び固定するための部品に関し、該部品は、電気素子（７）を支持する区画部（１）と、区画部（１）内で二個のつめ（３Ａ、３Ｂ）の間に配置された電気又は電子素子（７）上のピン（９Ａ、９Ｂ）とそれぞれ噛み合い且つ電気的に導通している二個のつめ（３Ａ、３Ｂ）と、取り外し可能な閉鎖蓋（１１）とを含む。本発明は、刃（５）が閉鎖蓋（１１）に固定されていて、二個のつめ（３Ａ、３Ｂ）に噛み合い且つ電気的に導通している電線（１３）を、電気又は電子素子（７）を電線（１３）に直列に装着するように切断することを特徴とする。好ましくは、該支持及び固定する部品は、電線（１３）が刃（５）によって切断されるとき電線（１３）に対して支持体として作用するブロック（１５）、及び切断された電線（１３）の二本の導体に対して空隙を提供するじゃま板（１７Ａ、１７Ｂ）を含む。【選択図】図４
2004523862.tif 000002
【特許請求の範囲】
【請求項１】
電気又は電子素子（７）を支持及び固定するための部品であって、
該部品は、電気又は電子素子（７）を支持するための区画部（１）と、区画部（１）内で二個のつめ（３Ａ、３Ｂ）の間に配置された電気又は電子素子（７）上のピン（９Ａ、９Ｂ）とそれぞれ噛み合い且つ電気的に導通している二個のつめ（３Ａ、３Ｂ）と、取り外し可能な閉鎖蓋（１１）とを含み、かつ、
刃（５）は、二個のつめ（３Ａ、３Ｂ）に噛み合い且つ電気的に導通している電線（１３）を、電気又は電子素子（７）が電線（１３）と直列に接続するような方法で切断するように、閉鎖蓋（１１）に固定されていることを特徴とする部品。
【請求項２】
刃（５）による切断作業中、電線（１３）に対して支持体として働くブロック（１５）
を含むことを特徴とする、請求項１記載の部品。
【請求項３】
切断された電線（１３）の二本の導体の分離を促すためのじゃま板（１７Ａ、１７Ｂ）
を含むことを特徴とする、請求項１記載の部品。
【請求項４】
取り外し可能な閉鎖蓋（１１）の代わりに、支持区画部（１）に対してヒンジ（１１Ａ）を中心に旋回する閉鎖蓋を含むことを特徴とする、請求項１記載の部品。
【請求項５】
区画部（１）は、プラスチック材料で製作された物体であることを特徴とする、請求項１記載の部品。
【請求項６】
刃（５）は、刃先（５Ｂ）が旋回するヒンジ（１１Ａ）の方向（Ａ）と交差する方向（Ｄ）に延長するような、リード角（５Ａ）を有することを特徴とする、請求項４記載の部品。
【発明の詳細な説明】
【技術分野】
【０００１】
本発明は、電気又は電子素子を支持及び固定する部品に関し、より具体的には、電気又は電子素子を支持する区画部と、それぞれ結線され、且つ、支持する区画部内で二個のつめの間に配置された電気又は電子素子上のピンとそれぞれ噛み合い且つ電気的に導通している二個のつめと、取り外し可能な閉鎖蓋とを含む、電気又は電子素子を支持及び固定するための部品に関するものである。
【背景技術】
【０００２】
このタイプの部品は、特に、米国特許第５，０７６，８０１号の明細書で公知である。この特許の開示によれば、少なくとも二本の別々の電線が各々のつめとそれぞれ噛み合い且つ電気的に導通しており、取り外し可能な閉鎖蓋は各々の電線を各々のつめの上の所定の位置に保持するように設計されている。この配置の結果、ただ一本の電線と電気素子を直列に接続するためには、前もって、二本の別々の電気線条に切断することを必要とする。
【０００３】
直列に電気素子を接続するために、前もって、ただ一本の電線を二本の別々の電気線条に切断することを必要とする電気素子を支持及び固定するための部品は、又、仏国特許第２，３０６，５９７号及び英国特許第７６２，６４０号の明細書からも公知である。
【特許文献１】
米国特許第５，０７６，８０１号
【特許文献２】
仏国特許第２，３０６，５９７号
【特許文献３】
英国特許第７６２，６４０号
【発明の開示】
【発明が解決しようとする課題】
【０００４】
本発明の目的は、前記の電線を前もって切断することなしに、電気素子を電線と直列に接続することを可能にするような方法で、従来技術で公知の電気又は電子素子を支持及び固定するための部品を改良することである。
【課題を解決するための手段】
【０００５】
その目的を達成するために、本発明の主題は電気又は電子素子を支持するための区画部と、区画部内で二個のつめの間に配置された電気又は電子素子上のピンとそれぞれ噛み合い且つ電気的に導通している二個のつめと、取り外し可能な閉鎖蓋とを含む電気又は電子素子を支持及び固定するための部品であって、刃は、二個のつめに噛み合い且つ電気的に導通している電線を、電気又は電子素子が電線と直列に接続するような方法で切断するように、閉鎖蓋に固定されていることを特徴とする部品である。
【発明の効果】
【０００６】
この配置の結果、電気又は電子素子は、電線を前もって切断することなしに直列に電線と接続される。このことは、前記素子が抵抗、インダクタンス、キャパシタンス、ダイオードのような受動素子、又は他のいかなる電気又は電子素子であっても、素子の接続を非常に容易にする。
【０００７】
本発明による支持及び固定する部品は、例えば、供給ケーブルに電気又は電子の外乱除去素子を接続することを容易にする。
【０００８】
本発明による支持及び固定する部品の多くの有利な点の中に、全体として小さいサイズであるということが言及されるべきである。つめは素子との完全な電気的導通を確保するように電線をむき出しにすることを可能にする。
【０００９】
本発明の他の有利な点は、図面によって説明される実施態様の記載を読むことによって明らかになるであろう。
【発明を実施するための最良の形態】
【００１０】
電気又は電子素子を支持及び固定する部品は、図１から図５に示すように、支持区画部１、二個のつめ３Ａ、３Ｂ、及び取り外し可能な蓋１１を含む。二個のつめ３Ａ、３Ｂは、それぞれ、例えば、プラスチック材料で製作された物体である支持区画部１内に配置された電気又は電子素子７上のピン９Ａ、９Ｂとの噛み合い及び電気的導通をもたらす。
【００１１】
本発明によれば、刃５は、二個のつめ３Ａ、３Ｂと噛み合い且つ電気的に導通している電線１３を切断するように、取り外し可能な又は旋回する閉鎖蓋１１に固定されている。
【００１２】
二個のつめ３Ａ、３Ｂは、電線１３の導電性芯線１３Ｂを取り巻く絶縁外装体１３Ａに食い込むように設計されている。この方法で、二個のつめは、電線１３と電気素子７のピン９Ａ、９Ｂとの間の電気的な導通を確実なものとし、同時に刃５による切断作業中電線を保持する。
【００１３】
閉鎖キャップ１１は取り外し可能である。図１から図５で説明されるように、閉鎖蓋１１は、開放位置と、前記蓋が前記支持区画部１の上に閉じられる閉鎖位置との間で、支持区画部１に関するヒンジ１１Ａを中心にして旋回するように用意されている。
【００１４】
図１から図３は、事前に電線を切断することなしに、電気又は電子素子７を電線１３と直列に接続するように、本発明による支持及び固定する部品が機能することを説明する。図１：閉鎖蓋１１はプラスチックス製物体１に対して開放位置にある。この位置においては、電線１３は二個のつめ３Ａ、３Ｂの各々で固定されている。図２：閉鎖蓋１１は、プラスチック材料で製作された物体１に対してヒンジ１１Ａを中心に旋回運動をしながら移動し、刃５を前進させて電線１３に近づける。図３：閉鎖蓋１１はプラスチック材料で製作された物体１の上に閉じられて閉鎖位置になり、切断作業中３Ａ、３Ｂのつめで保持されている電線１３を切断する。
【００１５】
図４及び図５で示される好ましい実施形態においては、電気又は電子素子を支持及び固定するための部品は、刃５による切断作業中電線１３を支持するようにプラスチック材料で製作された物体１の中に配置されたブロック１５を含む。ブロック１５は、二つの対向する支え面１５Ａ、１５Ｂを含み、そして刃５が通過できるように分割されていて、その分割幅は切断作業が完全になるように刃５の厚さに対応している。更に、電気又は電子素子を支持及び固定する部品は、閉鎖蓋１１に固定されたじゃま板１７Ａ、１７Ｂを含み、切断された電線１３の二本の導体の分離を容易にして、前記導体と刃５との接触を回避する。
【００１６】
刃５は、前記刃５の構成素材と同様の、電線を構成する素材、特に前記電線の絶縁外装体及び導電性芯線に対応する研磨角（ｕｎ  ａｎｇｌｅ  ｄ’ａｆｆｕｔａｇｅ）を有する。刃は、十分な使用寿命を確保するために、冷間圧延ステンレス鋼で製作されるのが好ましい。
【００１７】
閉鎖蓋１１が旋回するものである場合、刃５は、刃先５Ｂが支持区画部１に対して旋回するヒンジ１１Ａの方向Ａと交差する方向Ｄに延長するような、リード角５Ａを有する。
【図面の簡単な説明】
【００１８】
【図１】図１は、閉鎖蓋が開放位置にある、本発明による支持及び固定する部品を示す。
【図２】図２は、閉鎖蓋が開放と閉鎖の中間位置にある、図１の支持及び固定する部品を示す。
【図３】図３は、閉鎖蓋が閉鎖位置にある、図１の支持及び固定する部品を示す。
【図４】図４は、図１から図３によって説明される支持及び固定する部品の実施態様の好ましい形態を示し、図２の開放位置にある蓋を示す。
【図５】図５は、図４によって説明される支持及び固定する部品を示し、図３の閉鎖位置にある蓋を示す。
【図１】
2004523862.tif 000003
【図２】
2004523862.tif 000004
【図３】
2004523862.tif 000005
【図４】
2004523862.tif 000006
【図５】
2004523862.tif 000007
【国際公開パンフレット】
2004523862.tif 000008
2004523862.tif 000009
2004523862.tif 000010
2004523862.tif 000011
2004523862.tif 000012
2004523862.tif 000013
2004523862.tif 000014
2004523862.tif 000015
2004523862.tif 000016
2004523862.tif 000017
【国際調査報告】
2004523862.tif 000018
2004523862.tif 000019
2004523862.tif 000020
2004523862.tif 000021